(57)【要約】【課題】  対応するコネクタに結合されている時のメモリカードのフロントパネルからの突出量を適宜な量に調整できるメモリカードリーダを提供する。【解決手段】  複数種類のメモリーカード（ＣＦ、ＳＭ、ＳＤ、ＭＳ、ＸＤ）用の複数のコネクタ（１６ａ、１６ｂ、１６ｃ、１６ｄ、１６ｅ）が植設された回路基板（１０）と、回路基板（１０）を支持するベースプレート（２１）と、コネクタ（１６ａ、１６ｂ、１６ｃ、１６ｄ、１６ｅ）へのメモリカードの挿抜用のカードスロット（２７ａ、２７ｂ、２７ｃ、２７ｄ、２７ｅ）が形成され、ベースプレート（２１）に取り付けられるフロントパネル（２６）とを有し、メモリカードに記録されているデータを読み出す。フロントパネル（２６）は、長孔（２９）が形成されたタブ（２８）を備えている。フロントパネル（２６）は、タブ（２８）を用いてベースプレート（２１）に対して奥行方向の位置を調整可能にネジ止めされている。【選択図】      図４
2005107921.tif 000002
【特許請求の範囲】
【請求項１】
複数種類のメモリーカード用の複数のコネクタが植設された回路基板と、前記回路基板を支持するベースプレートと、前記コネクタへのメモリカードの挿抜用のカードスロットが形成され、前記ベースプレートに取り付けられるフロントパネルとを有し、メモリカードに記録されているデータを読み出すためのメモリカードリーダにおいて、
前記フロントパネルは、長孔が形成されたタブを備えており、該タブを用いて前記ベースプレートに対して奥行方向の位置を調整可能にネジ止めされることを特徴とするメモリカードリーダ。
【請求項２】
複数種類のメモリーカード用の複数のコネクタが植設された回路基板と、前記回路基板を支持するベースプレートと、前記コネクタへのメモリカードの挿抜用のカードスロットが形成され、前記ベースプレートに取り付けられるフロントパネルとを有し、メモリカードに記録されているデータを読み出すためのメモリカードリーダにおいて、
前記回路基板には、長孔が形成されており、該長孔を用いて前記ベースプレートに対して奥行方向の位置を調整可能にネジ止めされることを特徴とするメモリカードリーダ。
【請求項３】
複数種類のメモリーカードは、コンパクトフラッシュ（登録商標）、スマートメディア、ＳＤカード、メモリースティック、ｘＤピクチャーカード、およびＰＣカードメモリのうちの２種類以上である請求項１または２に記載のメモリカードリーダ。
【請求項４】
前記ベースプレートおよび前記フロントパネルから成るユニットフレームは、５インチベイに対応したサイズおよび形状である請求項１乃至３のいずれか１つに記載のメモリカードリーダ。
【請求項５】
複数の前記コネクタは、前記回路基板の表裏両面に振り分けられて植設されている請求項１乃至４のいずれか１つに記載のメモリカードリーダ。
【請求項６】
請求項１乃至５のいずれか１つに記載のメモリカードリーダと、光ディスクを出し入れするためのトレーを備えた記録型光ディスクドライブとを筐体に内蔵してなり、メモリカードに記録されたデータを該メモリカードリーダによって読み出して該光ディスクドライブによって光ディスクに記録することを特徴とするデータ記録装置。
【請求項７】
複数の前記コネクタの少くとも１つは、レバーリリース構造によってメモリカードを排出するものである請求項１乃至６のいずれか１つに記載のメモリカードリーダ。
【請求項８】
複数の前記コネクタの少くとも１つは、メディアプッシュ構造によってメモリカードを排出するものである請求項１乃至７のいずれか１つに記載のメモリカードリーダ。
【発明の詳細な説明】
【技術分野】
【０００１】
本発明は、複数種類のメモリーカード用の複数のコネクタが植設された回路基板と、回路基板を支持するベースプレートと、コネクタへのメモリカードの挿抜用のカードスロットが形成され、ベースプレートに取り付けられるフロントパネルとを有し、メモリカードに記録されているデータを読み出すためのメモリカードリーダに関する。
【背景技術】
【０００２】
近時、デジタルスチルカメラならびにその他の種々の電子機器において、コンパクトフラッシュ（登録商標）（または、マイクロドライブ）、スマートメディア、ＳＤカード（マルチメディアカード）、メモリースティック、ｘＤピクチャーカード（いずれも、登録商標または商品名）、およびＰＣ（Personal Computer）カードメモリ等の規格化された比較的小型の記憶媒体が盛んに使用されている。
【０００３】
これらメモリカードからデータを読み出す／にデータを書き込むうちの少くとも読み出しを行うためのメモリーカードリーダには、例えばコンパクトフラッシュ（登録商標）とスマートメディア等、複数種類のメモリカードを一台で扱い得るものが、提案ならびに使用されている。尚、メモリカードからデータを読み出すことに加えてメモリカードにデータを書き込む機能をも具備した装置はメモリカードリーダライタと呼ばれるが、メモリカードリーダライタも、メモリカードリーダの一種である。
【０００４】
この種のメモリカードリーダは、例えば、特許文献１に開示されている。このメモリカードリーダは、ＰＣカードメモリ用のコネクタとスマートメディア用のコネクタとを備えており、データ記録装置の構成要素として具備されている。
【０００５】
この種のメモリカードリーダにおいて、フロントパネルに形成されたカードスロットを介してコネクタに結合された各メモリカードは、メモリカードを持って引き出すか、メモリカードを所定の深さまで押し込む（メディアプッシュ）か、あるいは、フロントパネルから突出するように設けられたレバーを操作する（レバーリリース）ことによって、取り出される。最近では、操作性に優れたメディアプッシュ構造が採用されることが多い。
【０００６】
各メモリカードが対応するコネクタに結合されている時の各メモリカードのフロントパネルからの突出量は、メディアプッシュに必要なストローク等を考慮して、予め設計されている。
【特許文献１】特開２００３−８５８７６号公報
【発明の開示】
【発明が解決しようとする課題】
【０００７】
しかし、メモリカードのフロントパネルからの突出量を設計値に収めることは、部品の寸法公差や組み立ての寸法公差により、困難であるのが実状である。扱うメモリカードの種類が多い、即ち、コネクタの種類が多いメモリカードリーダにおいては、全てのメモリカードのフロントパネルからの突出量を設計値に収めることは、特に、困難である。
【０００８】
各メモリカードのフロントパネルからの突出量はメディアプッシュに必要なストローク等を考慮して設定されているため、設定値に収まらない場合には、メモリカードの取り出しが困難になったり、データの読み出し中に誤ってメモリカードを取り出してしまいデータの読み出しの失敗、データやメモリカード自体の破壊の虞がある。
【０００９】
このような問題の回避策として、各コネクタの回路基板上の植設位置を変更することが考えられるが、これは、設計段階、製造段階まで遡っての変更になるため、困難である。
【００１０】
それ故、本発明の課題は、対応するコネクタに結合されている時のメモリカードのフロントパネルからの突出量を適宜な量に調整できる、複数種類のメモリカードを扱うメモリカードリーダを提供することである。
【００１１】
本発明の他の課題は、上記のようなメモリカードリーダと、記録型光ディスクドライブとを筐体に内蔵してなるデータ記録装置を提供することである。
【課題を解決するための手段】
【００１２】
本発明によれば、複数種類のメモリーカード（ＣＦ、ＳＭ、ＳＤ、ＭＳ、ＸＤ）用の複数のコネクタ（１６ａ、１６ｂ、１６ｃ、１６ｄ、１６ｅ）が植設された回路基板（１０）と、前記回路基板（１０）を支持するベースプレート（２１）と、前記コネクタ（１６ａ、１６ｂ、１６ｃ、１６ｄ、１６ｅ）へのメモリカードの挿抜用のカードスロット（２７ａ、２７ｂ、２７ｃ、２７ｄ、２７ｅ）が形成され、前記ベースプレート（２１）に取り付けられるフロントパネル（２６）とを有し、メモリカードに記録されているデータを読み出すためのメモリカードリーダにおいて、前記フロントパネル（２６）は、長孔（２９）が形成されたタブ（２８）を備えており、該タブ（２８）を用いて前記ベースプレート（２１）に対して奥行方向の位置を調整可能にネジ止めされることを特徴とするメモリカードリーダが得られる。
【００１３】
本発明によればまた、複数種類のメモリーカードは、コンパクトフラッシュ（登録商標）、スマートメディア、ＳＤカード、メモリースティック、ｘＤピクチャーカード、およびＰＣカードメモリのうちの２種類以上である前記メモリカードリーダが得られる。
【００１４】
本発明によればさらに、前記ベースプレート（２１）および前記フロントパネル（２６）から成るユニットフレーム（２０）は、５インチベイに対応したサイズおよび形状である前記メモリカードリーダが得られる。
【００１５】
また、本発明によれば、複数の前記コネクタ（１６ａ、１６ｂ、１６ｃ、１６ｄ、１６ｅ）は、前記回路基板（１０）の表裏両面に振り分けられて植設されている前記メモリカードリーダが得られる。
【００１６】
さらに、本発明によれば、複数種類のメモリーカード（ＣＦ、ＳＭ、ＳＤ、ＭＳ、ＸＤ）用の複数のコネクタ（１６ａ、１６ｂ、１６ｃ、１６ｄ、１６ｅ）が植設された回路基板（１０）と、前記回路基板（１０）を支持するベースプレート（２１）と、前記コネクタ（１６ａ、１６ｂ、１６ｃ、１６ｄ、１６ｅ）へのメモリカードの挿抜用のカードスロット（２７ａ、２７ｂ、２７ｃ、２７ｄ、２７ｅ）が形成され、前記ベースプレート（２１）に取り付けられるフロントパネル（２６）とを有し、メモリカードに記録されているデータを読み出すためのメモリカードリーダにおいて、前記回路基板（１０）には、長孔が形成されており、該長孔を用いて前記ベースプレート（２１）に対して奥行方向の位置を調整可能にネジ止めされることを特徴とするメモリカードリーダが得られる。
【００１７】
本発明によればまた、前記メモリカードリーダ（１００）と、光ディスクを出し入れするためのトレー（２０１）を備えた記録型光ディスクドライブ（２００）とを筐体（３００）に内蔵してなり、メモリカードに記録されたデータを該メモリカードリーダ（１００）によって読み出して該光ディスクドライブ（２００）によって光ディスクに記録することを特徴とするデータ記録装置（６００）が得られる。
【００１８】
尚、上記括弧内の符号は、本発明の理解を容易にするために付したものであり、一例に過ぎず、これらに限定されないのは勿論である。
【発明の効果】
【００１９】
本発明によるメモリカードリーダは、対応するコネクタに結合されている時のメモリカードのフロントパネルからの突出量を適宜な量に調整できる。
【発明を実施するための最良の形態】
【００２０】
以下、図面を参照して、本発明の実施の形態について詳細に説明する。
【００２１】
図１〜図３を参照して、本発明の実施の形態によるメモリカードリーダ１００は、回路基板１０と、ベースプレート２１と、フロントパネル２６とを有しており、メモリカードに記録されているデータを読み出すことが可能である。
【００２２】
回路基板１０は、複数種類のメモリーカードとして、コンパクトフラッシュ（登録商標）ＣＦ（マイクロドライブＭＤ）、スマートメディアＳＭ、ＳＤカードＳＤ（マルチメディアカードＭＭＣ）、メモリースティックＭＳ、およびｘＤピクチャーカードＸＤ（いずれも、登録商標または商品名）用の複数のコネクタ１６ａ、１６ｂ、１６ｃ、１６ｄ、および１６ｅがハンダ付け等によって植設されている。
【００２３】
複数のコネクタ１６ａ、１６ｂ、１６ｃ、１６ｄ、および１６ｅは、回路基板１０の表裏両面に振り分けられて植設されている。即ち、コネクタ１６ａ、１６ｄ、および１６ｅは回路基板１０の表面に、コネクタ１６ｂおよび１６ｃは回路基板１０の裏面に、植設されている。
【００２４】
コネクタ１６ａおよび１６ｂは、レバーリリース式であり、それぞれリリースレバー１７ａおよび１７ｂを備えている。リリースレバー１７ａおよび１７ｂは、フロントパネル２６に形成されたスロットから突出している。一方、コネクタ１６ｃ〜１６ｅは、メディアプッシュ式である。
【００２５】
ベースプレート２１は、回路基板１０をネジ止めによって支持している。
【００２６】
フロントパネル２６は、ベースプレート２１にネジ止めによって取り付けられている。フロントパネル２６には、コネクタ１６ａ、１６ｂ、１６ｃ、１６ｄ、および１６ｅへのメモリカードの挿抜用のカードスロット２７ａ、２７ｂ、２７ｃ、２７ｄ、および２７ｅが形成されている。
【００２７】
図１〜図３ならびに図４（ａ）〜（ｃ）を参照して、フロントパネル２６は、長孔２９が形成されたタブ２８を備えており、このタブ２８を用いてベースプレート２１に対して奥行方向の位置を調整可能にネジ止めされている。即ち、ベースプレート２１に、回路基板１０を固定し、かつ、フロントパネル２６をおおよその位置に治具等を用いてあてがい、試着用のコンパクトフラッシュ（登録商標）ＣＦ、スマートメディアＳＭ、ＳＤカードＳＤ、メモリースティックＭＳ、およびｘＤピクチャーカードＸＤをそれぞれコネクタ１６ａ、１６ｂ、１６ｃ、１６ｄ、および１６ｅに装着し、計測治具等を用いて各メモリカードのフロントパネル２６からの突出量が所望の値になるようにベースプレート２１に対するフロントパネル２６の奥行位置を動かしつつ確認し、ベースプレート２１に対するフロントパネル２６の奥行位置を決定する。そして、決定した奥行位置の状態でフロントパネル２６をベースプレート２１にネジ止めすることにより、コネクタに結合されている時のメモリカードのフロントパネルからの突出量が適宜な量に調整される。
【００２８】
本実施の形態の変形例として、回路基板のベースプレートへのネジ留め用孔を長孔形状に形成しておき、この長孔部を用いて、回路基板のベースプレートに対する奥行方向の位置を調整可能にネジ止めするようにしてもよい。この場合には、フロントパネルのタブには、丸孔が形成される。即ち、ベースプレートに、回路基板をおおよその位置に治具等を用いてあてがい、かつ、フロントパネルを固定し、試着用の全メモリカードを複数のコネクタに装着し、計測治具等を用いて各メモリカードのフロントパネルからの突出量が所望の値になるようにベースプレートに対する回路基板の奥行位置を動かしつつ確認し、ベースプレートに対する回路基板の奥行位置を決定する。そして、決定した奥行位置の状態で回路基板をベースプレートにネジ止めすることにより、コネクタに結合されている時のメモリカードのフロントパネルからの突出量が適宜な量に調整される。
【００２９】
ベースプレート２１およびフロントパネル２６から成るユニットフレーム２０は、ＩＤＥ（Integrated Drive Electronics）によって規格化された５インチベイに対応したサイズおよび形状である。このため、パーソナルコンピュータや下述するデータ記録装置のような電子機器等の筐体の５インチベイ内に、ドライブまたはユニットとして、脱着容易に装着可能である。
【００３０】
図５〜図９を参照して、本発明によるデータ記録装置６００は、本メモリカードリーダ１００と、光ディスクを出し入れするためのトレー２０１を備えたＣＤ−Ｒ（Compact Disc-Recordable）／−ＲＷ（-ReWritable）である記録型光ディスクドライブ２００とを筐体３００に内蔵してなり、パーソナルコンピュータを用いずに装置単体で、メモリカードに記録されたデータをメモリカードリーダ１００によって読み出して光ディスクドライブ２００によって光ディスクに記録可能である。
【００３１】
光ディスクドライブ２００のユニットフレームも、メモリカードリーダ１００と同様に、５インチベイに対応したサイズおよび形状である。
【００３２】
筐体３００は、その前面に５インチベイを上下に２つ備えており、メモリカードリーダ１００および光ディスクドライブ２００は、これら５インチベイに取り外し可能にネジ止めによって上下に配列するように内蔵されている。筐体３００の上面前部はスラントしており、このスラントした部分に、液晶表示器４５１と、操作ボタン４５２が備えられている。
【００３３】
図１０を参照して、データ記録装置６００はさらに、電源ユニット５００を有している。電源ユニット５００は、筐体３００に内蔵されている。
【００３４】
本例では、メモリカードリーダ１００の回路基板１０には、データ記録装置６００の制御回路も実装されている。
【００３５】
この制御回路は、データ記録装置６００の動作全般を制御するためのシステムＬＳＩ（Large Scale Integrated circuit）から成るＣＰＵ（Central Processing Unit）と、メモリカードリーダ１００（制御回路）と光ディスクドライブ２００とのＩＤＥインターフェースを介した接続の際に信号レベルを整合するためのＩＤＥレベルコンバータと、フラッシュロムと、ＳＤＲＡＭ（Synchronous Dynamic Random Access Memory）と、ＣＰＵ用ＳＲＡＭ（CPU用Static Random Access Memory）と、ＥＥＰＲＯＭ（Electrical Erasable Programmable Read Only Memory）と、ｘＤカード／スマートメディア切替器とを有している。ＣＰＵには、操作ボタン４５２としてのユーザースイッチ１および２と、液晶表示器４５１が接続されている。
【００３６】
メモリカードリーダ１００および光ディスクドライブ２００には、電源コネクタを介して、電源ユニット５００から電源が供給される。
【００３７】
データ記録装置６００は、例えば、次のようにして使用される。写真店員等のユーザは、データ記録装置６００の電源をオンにする。メモリカードを対応するコネクタに差し込んで電気的に接続する。これと共に、記録型光ディスクをトレー２０１を用いて光ディスクドライブ２００にセットする。この後、ユーザは、液晶表示器４５１に表示されるガイダンス等を参照しつつ操作ボタン４５２を操作し、メモリカードに記録されている写真データ等のデータを光ディスクに記録する作業を行う。この際、各メモリカードはフロントパネル２６から設定値だけ突出しているため、メモリカードの取り出しが困難になったり、データの読み出し中に誤ってメモリカードを取り出してしまうことがなく、この結果、データの読み出しの失敗、データやメモリカード自体の破壊を起こすことなく、かつ、使い勝手よく容易に、データ記録作業を行うことができる。
【産業上の利用可能性】
【００３８】
以上、本発明について好ましい実施の形態によって説明してきたが、本発明は上述した実施の形態に限定されないのは勿論のことである。
【００３９】
例えば、メモリカードとしてはコンパクトフラッシュ（登録商標）、マイクロドライブ、スマートメディア、ＳＤカード、マルチメディアカード、メモリースティック、ｘＤピクチャーカード（いずれも、登録商標または商品名）、およびＰＣカードメモリに限定されるものではない。
【図面の簡単な説明】
【００４０】
【図１】本発明の実施の形態によるメモリカードリーダを示す斜視図である。
【図２】本発明の実施の形態によるメモリカードリーダにおける回路基板およびコネクタを示す正面図である。
【図３】本発明の実施の形態によるメモリカードリーダにおける回路基板およびコネクタならびに使用されるメモリカードを示す平面図である。
【図４】本発明の実施の形態によるメモリカードリーダを示す図であり、（ａ）は平面図、（ｂ）は右側面図、ならびに、（ｃ）は図４（ｂ）におけるＡ部の拡大図である。
【図５】本発明の実施の形態によるデータ記録装置を示す正面図である。
【図６】本発明の実施の形態によるデータ記録装置を示す平面図である。
【図７】本発明の実施の形態によるデータ記録装置を示す左側面図である。
【図８】本発明の実施の形態によるデータ記録装置を示す右側面図である。
【図９】本発明の実施の形態によるデータ記録装置の動作を説明するための平面図である。
【図１０】本発明の実施の形態によるデータ記録装置の電気回路を示すブロック図である。
【符号の説明】
【００４１】
１０    回路基板
１６ａ、１６ｂ、１６ｃ、１６ｄ、１６ｅ  コネクタ
１７ａ、１７ｂ  リリースレバー
２０    ユニットフレーム
２１    ベースプレート
２６    フロントパネル
２７ａ、２７ｂ、２７ｃ、２７ｄ、２７ｅ  カードスロット
２８    タブ
２９    長孔
１００    メモリカードリーダ
２００    光ディスクドライブ
２０１    トレー
４５１    液晶表示器
４５２    操作ボタン
５００    電源ユニット
６００    データ記録装置
【図１】
2005107921.tif 000003
【図２】
2005107921.tif 000004
【図３】
2005107921.tif 000005
【図４】
2005107921.tif 000006
【図５】
2005107921.tif 000007
【図６】
2005107921.tif 000008
【図７】
2005107921.tif 000009
【図８】
2005107921.tif 000010
【図９】
2005107921.tif 000011
【図１０】
2005107921.tif 000012